(57)【要約】【課題】  シンク台等の収納体の内部のスペースを有効活用できる扉開閉機構を提供する。【解決手段】  シンクに隣接する仕切板２５ａの内面には固定レール３７ａと移動レール３８ａとからなるスライドレール３２ａが取り付けられる。移動レール３８ａにはピン４０ａ，ピン４０ｂを介してサイドプレート３４ａが固定される。サイドプレート３４ａの前面に配置された上部扉２８は、ダンパーヒンジ３５ａを介してサイドプレート３４ａに対してその前面が下方に向かうように回転自在に接続される。サイドプレート３４ａと図示しないサイドプレート３４ｂとの間には上方が開放された小物ポケット３１がその間を掛け渡すように固定されている。使用に際しては、上部扉２８を外方側に引き出し更に力を加えると、上部扉２８はその背面がほぼ水平状態となるように移動する。この状態でシンクに隣接したスペースに設置された引出２７ａを外方に引き出すことが可能となる。【選択図】      図３
2006320361.tif 000002
【特許請求の範囲】
【請求項１】
扉開閉機構であって、
前面に開放面を有する収納体と、
前記開放面を塞ぐように取り付けられた平板状の扉と、
前記収納体と前記扉との間に取り付けられ、前記扉を外方に水平方向に引き出し自在とする移動手段と、
前記扉と前記移動手段との間に取り付けられ、前記引き出された扉をその前面が下方に向かうように前記扉の下方を中心として回転自在とする回転手段とを備えた、扉開閉機構。
【請求項２】
前記収納体の内部に収納され、前記開放面にその一部が露出する引出と、
前記収納体に取り付けられ、前記引出を、前記開放面から外方にその一部を引き出し自在とする引き出し手段とを更に備え、
前記回転手段は、前記扉を引き出し且つ回転させた時、前記引出が引き出し自在となるように前記扉の回転位置を保持する、請求項１記載の扉開閉機構。
【請求項３】
前記扉の背面であって、前記引出が対向しない部分には上方が開放の収納ポケットが設けられ、
前記収納ポケットは、前記扉の姿勢に関わらず、その水平状態が維持される、請求項２記載の扉開閉機構。
【請求項４】
扉開閉機構であって、
前面に開放面を有する収納体と、
前記開放面を塞ぐように取り付けられた平板状の扉と、
前記収納体と前記扉との間に取り付けられ、前記扉を外方に水平方向に引き出し自在とする移動手段と、
前記扉と前記移動手段との間に取り付けられ、前記扉を前記引き出しと共にその前面が下方に傾斜するように規制する傾斜手段とを備えた、扉開閉機構。
【請求項５】
前記扉と前記傾斜手段との間に取り付けられ、前記扉の位置に関わらず、前記扉を前記前面が下方に向かうように回転自在とする回転手段を更に備えた、請求項４記載の扉開閉機構。
【請求項６】
前記収納体の内部に収納され、前記開放面にその一部が露出する引出と、
前記収納体に取り付けられ、前記引出を、前記開放面から外方にその一部を引き出し自在とする引き出し手段とを更に備え、
前記回転手段は、前記扉を引き出し且つ回転させた時、前記引出が引き出し自在となるように前記扉の回転位置を保持する、請求項５記載の扉開閉機構。
【請求項７】
前記扉の背面であって前記引出が対向しない部分には上方が開放の収納ポケットが設けられ、
前記収納ポケットは前記傾斜手段に対しては前記扉と共に傾斜し、前記回転手段に対しては前記扉の姿勢に関わらずその水平状態が維持される、請求項６記載の扉開閉機構。
【請求項８】
前記収納体は、前記開放面から所定距離内方にシンクが配置されたシンク台である、請求項２、請求項３、請求項６及び請求項７のいずれかに記載の扉開閉機構。
【請求項９】
前記引出の少なくとも一部は、前記シンクに隣接するスペースに配置される、請求項８記載の扉開閉機構。
【発明の詳細な説明】
【技術分野】
【０００１】
この発明は扉開閉機構に関し、特に台所のシンク台等の収納体に取り付けられる扉開閉機構に関するものである。
【背景技術】
【０００２】
図１３は従来のシンク台の外観形状を示した正面図であり、図１４は図１３で示したＸＩＶ−ＸＩＶラインの拡大断面図である。
【０００３】
これらの図を参照して、シンク台２１は正面中央に両開きの開閉扉２９ａ，開閉扉２９ｂが設けられ、その上方の開放面には支持体６１に取り付けられているヒンジ６２を介して前方に回動自在な平板状の上部扉２８が取り付けられている。上部扉２８の後方には所定間隔を空けてシンク２３が設けられている。上部扉２８の背面には上面が開放の小物ポケット３１が取り付けられており、その内部に包丁等の台所用品を収納できるように構成されている。
【０００４】
図１５は図１４に対応する図であって、上部扉２８を開いた状態を示した断面図である。
【０００５】
図を参照して、上部扉２８の使用に際しては、これを図示しない取っ手等を介して前方に引き出すように力を加える。すると上部扉２８は図のように元の位置から前方に傾斜した位置に変化する。これによって小物ポケット３１は露出することになり、その間から内部に収納された台所用品等を取り出すことが可能となる。このようにして上部扉２８とシンク２３との間のスペースを有効活用することが可能となる。
【発明の開示】
【発明が解決しようとする課題】
【０００６】
上記のような従来の上部扉の構造にあっては、小物ポケットの露出度が大きくないため収納物が取り出しにくく使用勝手が不十分であった。又、シンクの両側のスペース２４ａ，スペース２４ｂはデッドスペースとなってしまい有効活用できていない。
【０００７】
この発明は上記のような課題を解決するためになされたもので、シンク台等の収納体の内部スペースを有効活用できる扉開閉機構を提供することを目的とする。
【課題を解決するための手段】
【０００８】
上記の目的を達成するために、請求項１記載の発明は、扉開閉機構であって、前面に開放面を有する収納体と、開放面を塞ぐように取り付けられた平板状の扉と、収納体と扉との間に取り付けられ、扉を外方に水平方向に引き出し自在とする移動手段と、扉と移動手段との間に取り付けられ、引き出された扉をその前面が下方に向かうように扉の下方を中心として回転自在とする回転手段とを備えたものである。
【０００９】
このように構成すると、引き出された扉はその前面が下方に向かうように回転自在となる。
【００１０】
請求項２記載の発明は、請求項１記載の発明の構成において、収納体の内部に収納され、開放面にその一部が露出する引出と、収納体に取り付けられ、引出を開放面から外方にその一部を引き出し自在とする引出手段とを更に備え、回転手段は扉を引き出し、且つ回転させた時、引出が引き出し自在となるように扉の回転位置を保持するものである。
【００１１】
このように構成すると、扉を引き出して回転させると引出が引き出される。
【００１２】
請求項３記載の発明は、請求項２記載の発明の構成において、扉の背面であって引出が対向しない部分には上方が開放の収納ポケットが設けられ、収納ポケットは扉の姿勢に関わらずその水平状態が維持されるものである。
【００１３】
このように構成すると、扉を引き出すと収納ポケットが露出する。
【００１４】
請求項４記載の発明は、扉開閉機構であって、前面に開放面を有する収納体と、開放面を塞ぐように取り付けられた平板状の扉と、収納体と扉との間に取り付けられ、扉を外方に水平方向に引き出し自在とする移動手段と、扉と移動手段との間に取り付けられ、扉を引き出すと共にその前面が下方に傾斜するように規制する傾斜手段とを備えたものである。
【００１５】
このように構成すると、扉は引き出されるにつれてその前面が下方に傾斜する。
【００１６】
請求項５記載の発明は、請求項４記載の発明の構成において、扉と傾斜手段との間に取り付けられ、扉の位置に関わらず扉を前面が下方に向かうように回転自在とする回転手段を更に備えたものである。
【００１７】
このように構成すると、扉は引き出し位置に関わらずその前面が下方に向かうように回転自在となる。
【００１８】
請求項６記載の発明は、請求項５記載の発明の構成において、収納体の内部に収納され、開放面にその一部が露出する引出と、収納体に取り付けられ、引出を開放面から外方にその一部を引き出し自在とする引き出し手段とを更に備え、回転手段は扉を引き出し且つ回転させた時、引出が引き出し自在となるように扉の回転位置を保持するものである。
【００１９】
このように構成すると、扉を引き出して回転させると引出が引き出される。
【００２０】
請求項７記載の発明は、請求項６記載の発明の構成において、扉の背面であって引出が対向しない部分には、上方が開放の収納ポケットが設けられ、収納ポケットは傾斜手段に対しては扉と共に傾斜し、回転手段に対しては扉の姿勢に関わらずその水平状態が維持されるものである。
【００２１】
このように構成すると、扉を引き出すと収納ポケットが傾斜しながら露出する。
【００２２】
請求項８記載の発明は、請求項２、請求項３、請求項６及び請求項７のいずれかに記載の発明の構成において、収納体は開放面から所定距離内方にシンクが配置されたシンク台とするものである。
【００２３】
このように構成すると、扉を引き出し回転させるとシンクの前面側が露出する。
【００２４】
請求項９記載の発明は、請求項８記載の発明の構成において、引出の少なくとも一部はシンクに隣接するスペースに配置されるものである。
【００２５】
このように構成すると、引出はシンクに隣接するスペースまで伸びるように配置される。
【発明の効果】
【００２６】
以上説明したように、請求項１記載の発明は、引き出された扉はその前面が下方に向かうように回転自在となるため、開放面が大きく露出する。
【００２７】
請求項２記載の発明は、請求項１記載の発明の効果に加えて、扉を引き出して回転させると引出が引き出されるため、扉に対向する収納体の内部を有効活用できる。
【００２８】
請求項３記載の発明は、請求項２記載の発明の効果に加えて、扉を引き出すと収納ポケットが露出するため、使い勝手が向上すると共に収納ポケットが引出の使用を阻害することがない。
【００２９】
請求項４記載の発明は、扉は引き出されるにつれてその前面が下方に傾斜するため、扉の水平方向への移動に比べて開放面の露出度が大きくなるため使い勝手が良い。
【００３０】
請求項５記載の発明は、請求項４記載の発明の効果に加えて、扉は引出位置に関わらず、その前面が下方に向かうように回転自在となるため開放面が大きく露出する。
【００３１】
請求項６記載の発明は、請求項５記載の発明の効果に加えて、扉を引き出して回転させると引出が引き出されるため、扉に対向する収納体の内部を有効活用できる。
【００３２】
請求項７記載の発明は、請求項６記載の発明の効果に加えて、扉を引き出すと収納ポケットが傾斜しながら露出するため、使い勝手が向上すると共に、収納ポケットが引出の使用を阻害することがない。
【００３３】
請求項８記載の発明は、請求項２、請求項３、請求項６及び請求項７のいずれかに記載の発明の効果に加えて、扉を引き出し回転させるとシンクの前面側が露出する。
【００３４】
請求項９記載の発明は、請求項８記載の発明の効果に加えて、引出はシンクに隣接するスペースまで伸びるように配置されるため、シンクに隣接するスペースが有効活用できシンク台の内部の使い勝手が向上する。
【発明を実施するための最良の形態】
【００３５】
図１はこの発明の第１の実施の形態による扉開閉機構を組み込んだシンク台の外観形状を示した正面図であり、図２は図１で示したシンク台の平面図であり、図３は図１で示したＩＩＩ−ＩＩＩラインの拡大断面図であり、図４は図１で示したＩＶ−ＩＶラインの拡大断面図である。
【００３６】
これらの図を参照して、収納体の一例として示されているシンク台２１はその正面の中央部に両開きの開閉扉２９ａ，開閉扉２９ｂが取り付けられている。その上部の開放面には左右幅いっぱいに伸びる平板形状の上部扉２８が取り付けられている。上部扉２８の後方には一定距離離れた位置にシンクが設置されている。シンク２３の両側に隣接するスペース２４ａ，スペース２４ｂには、引き出し自在の引出２７ａ，引出２７ｂが設置されている。尚、スペース２４ａ，スペース２４ｂとシンク２３との間には上部扉２８の背面から奥方向に伸びる矩形板形状の仕切板２５ａ，仕切板２５ｂが取り付けられている。
【００３７】
図３及び図４を参照して、仕切板２５ａのシンク２３側の面には固定レール３７ａ，移動レール３８ａからなるスライドレール３２ａが水平方向に取り付けられている。移動レール３８ａの前方側の端部にはピン４０ａ，ピン４０ｂを介してサイドプレート３４ａが固定されている。これによってサイドプレート３４ａは、移動レール３８ａと共に水平方向にスムーズに移動できる。
【００３８】
サイドプレート３４ａの前方の下端部はダンパーヒンジ３５ａを介して上部扉２８の背面の下方部に接続されている。これによって上部扉２８は、ダンパーヒンジ３５ａを介してサイドプレート３４ａに対してその前面が下方に向かうように回転自在となるように構成されている。
【００３９】
又、サイドプレート３４ａの内面と図示しない反対側のサイドプレート３４ｂの内面との間に掛け渡すように、上方が開放された小物ポケット３１が収納ポケットとして固定されている。尚、小物ポケット３１は、上部扉２８に対しては直接固定されていないため、上部扉２８のダンパーヒンジ３５ａを介しての回転に対してその位置が変化することはない。
【００４０】
引出２７ａはこの実施の形態にあっては上面が開放された箱型形状を有しており、その前面部分が上部扉２８の背面部分に接近するようにスペース２４ａに収納されている。
【００４１】
図５はダンパーヒンジ３５ａの取り付け状態を示した分解斜視図である。
【００４２】
図を参照して、ダンパーヒンジ３５ａの一方端部は、サイドプレート３４ａの下端に一体形成された支持ピース４２ａに嵌合し、その回転が規制されている。一方、ダンパーヒンジ３５ａの他方端部は、上部扉２８の背面に固定されるブラケット４１ａに嵌合した状態で取り付けられる。これによって上部扉２８にその前面が下方に回転するように力を加えると、ブラケット４１ａがそれに伴って回転する。この時、ダンパーヒンジ３５ａの働きによってその移動が緩やかに制御されることになる。尚、上部扉２８の背面は、サイドプレート３４ａの垂直前面部分に図示しない磁石等によって通常は固着した状態に設置されている。
【００４３】
図６は図３に示した状態から扉開閉機構を作動させた状態を示した断面図で図７はこの状態を上方からから見たシンク台の平面図である。
【００４４】
図を参照して、図示しない取っ手等を介して上部扉２８に対してこれを外方に引き出すように力を加える。すると、上述のように上部扉２８の背面とサイドプレート３４ａとは磁石等による固着状態となっているため、これらは一体となって移動レール３８ａに力を加えることになる。移動レール３８ａと固定レール３７ａとはスライドレール３２ａを構成していることから、スムーズに上部扉２８は外方に移動する。
【００４５】
この移動に伴って小物ポケット３１もサイドプレート３４ａと共に移動してその上面が露出状態となる。小物ポケット３１には包丁等の台所用品が収納されているため、この状態で上方からこれらを容易に取り出すことが可能となる。この場合、図１５に示したような従来構造とは異なり小物ポケット３１は水平方向に移動するため、図７にも示されているようにその上面の開放度は大きくなり収納物の取り出しがより容易となる。
【００４６】
図８は図６の状態から更に上部扉２８に対して力を加えた時の状態を示した断面図であり、図９はこれに対応する平面図である。
【００４７】
これらの図を参照して、図６の状態から上部扉２８に更に引き出す方向に力を加えると、上部扉２８はサイドプレート３４ａとの固着状態が解除され、これから分離状態となる。この時、ダンパーヒンジ３５ａの働きによって上部扉２８はその前面が下方に向かうように緩やかに回転し、最終的にはその背面がほぼ水平状態となるまで回転する。このためスペース２４ａ，スペース２４ｂ内に収納されている引出２７ａ，引出２７ｂを前方に引き出しても図のような状態となり、上部扉２８と干渉することはない。引出２７ａ，引出２７ｂには小物ポケット３１と同様に台所用品等を収納することが可能となり、容易にこれらを取り出すことができるため、スペース２４ａ，スペース２４ｂをデッドスペースとすることなく有効活用することが可能となる。
【００４８】
図１０はこの発明の第２の実施の形態による扉開閉機構を組み込んだシンク台の概略形状を示した断面図であって、先の実施の形態による図３に対応した図である。
【００４９】
図を参照して、先の実施の形態によるものとの相違点を中心に説明する。
【００５０】
まずサイドプレート３４ａの形状が異なっている。すなわち、サイドプレート３４ａの下方の辺は傾斜辺４４となって上部扉２８から内方に向かって上昇するように形成されている。又、サイドプレート３４ａは移動レール３８ａに対して１本のピン４６ａによって回動自在に接続されている。更に、サイドプレート３４ａの傾斜辺４４の下方には、その上面が傾斜辺４４に当接状態になる支持体４５が仕切板２５ａに固定されている。
【００５１】
他の構成については先の実施の形態によるものと基本的に同一である。
【００５２】
図１１は図１０の状態から上部扉２８を外方に引き出した初期状態を示した概略断面図である。
【００５３】
図を参照して、上部扉２８を引き出すとこれと一体となってサイドプレート３４ａも外方に移動する。ところがサイドプレート３４ａは、移動レール３８ａに対してピン４６ａを介して回動自在に接続されているため、ピン４６ａを中心として反時計方向回りに回転しようとする。ところが傾斜辺４４は支持体４５に当接状態となっているため、その回転が規制され、結果としてサイドプレート３４ａは上部扉２８の引出と共に徐々に下方に傾斜するようにその位置が変化する。これによってサイドプレート３４ａに固定されている小物ポケット３１も傾斜することになり、その内部の収納物の取り出しが容易となる。
【００５４】
図１２は図１１の状態から更に上部扉２８を引き出した状態を示した概略断面図である。
【００５５】
図を参照して、上部扉２８の引き出しと共にサイドプレート３４ａは更に下方に傾き小物ポケット３１もこれに伴って傾く。従って、図１１の状態より更に小物ポケット３１の内容物を取り出すことがより容易となる。この状態から上部扉２８にその前面が下方に回転するように更に力を加えると、上部扉２８はダンパーヒンジ３５を中心として二点鎖線の位置に移動する。この状態になると、引出２７ａは二点鎖線で示すようにスペース２４ａから外方に引き出すことが可能となる。これによってこの実施の形態にあってもスペース２４ａをデッドスペースとすることなく有効活用することが可能となる。
【００５６】
尚、上記の各実施の形態では、収納体としてシンク台を用いているが、シンク台以外の収納体にも同様に適用できることは言うまでもない。
【００５７】
又、上記の各実施の形態では、扉を少なくとも水平以上に傾斜できるように構成しているが、少なくとも引出が引き出されるように扉が傾斜するように構成すれば良い。
【００５８】
更に、上記の各実施の形態では、移動手段としてスライドレールを用いているが、単なる支持部材によって移動可能とするようにしても良い。
【００５９】
更に、上記の各実施の形態では、シンクの両側に一対の引出を設けているが、引出は一方でも良く、又、全くなくても良い。
【００６０】
更に、上記の各実施の形態では、引出は上方が開放となっているが、上方が閉鎖されていても良い。
【００６１】
更に、上記の各実施の形態では、収納ポケットとして小物ポケットが設けられているが、これはなくても良く、又、その扉に沿った範囲はより狭くても良い。
【００６２】
更に、上記の第２の実施の形態では、傾斜手段として傾斜辺と支持体とが用いられているが、他の傾斜手段を用いても良いことは言うまでもない。
【００６３】
更に、上記の各実施の形態では、回転手段にダンパーヒンジが用いられているが、通常のヒンジであっても良い。
【図面の簡単な説明】
【００６４】
【図１】この発明の第１の実施の形態による扉開閉機構を組み込んだシンク台の外観形状を示した正面図である。
【図２】図１で示したシンク台の外観形状を示した平面図である。
【図３】図１で示したＩＩＩ−ＩＩＩラインの拡大断面図である。
【図４】図１で示したＩＶ−ＩＶラインの拡大断面図である。
【図５】図３で示したダンパーヒンジの取り付け状態を示した拡大分解斜視図である。
【図６】図３に示した状態から上部扉を引き出した状態を示した断面図である。
【図７】図６に示した状態に対応したシンク台の外観形状を示した平面図である。
【図８】図６に示した状態から上部扉を下方に回転移動させた状態を示した概略図である。
【図９】図８で示した状態のシンク台の外観形状を示した平面図である。
【図１０】この発明の第２の実施の形態による扉開閉機構を組み込んだシンク台の概略構造を示した図であって、先の実施の形態による図３に対応した断面図である。
【図１１】図１０で示した状態から上部扉を所定量引き出した状態を示した断面図である。
【図１２】図１１で示した状態から更に上部扉を限界まで引き出した状態を示した断面図である。
【図１３】従来のシンク台の外観形状を示した正面図である。
【図１４】図１３で示したＸＩＶ−ＸＩＶラインの拡大断面図である。
【図１５】図１４で示した状態から上部扉を引き出した状態を示した断面図である。
【符号の説明】
【００６５】
２１…シンク台
２３…シンク
２４…スペース
２８…上部扉
３１…小物ポケット
３２…スライドレール
３４…サイドプレート
３７…固定レール
３８…移動レール
４０…ピン
４４…傾斜辺
４５…支持体
４６…ピン
尚、各図中同一符号は同一又は相当部分を示す。
【図１】
2006320361.tif 000003
【図２】
2006320361.tif 000004
【図３】
2006320361.tif 000005
【図４】
2006320361.tif 000006
【図５】
2006320361.tif 000007
【図６】
2006320361.tif 000008
【図７】
2006320361.tif 000009
【図８】
2006320361.tif 000010
【図９】
2006320361.tif 000011
【図１０】
2006320361.tif 000012
【図１１】
2006320361.tif 000013
【図１２】
2006320361.tif 000014
【図１３】
2006320361.tif 000015
【図１４】
2006320361.tif 000016
【図１５】
2006320361.tif 000017